(57)【要約】【課題】本発明は記録メディア駆動装置が装着されて増設されたことを検出することを課題とする。【解決手段】収容装置１３０は、第２の収納部１３６の挿入された記録メディア駆動装置１０を係止する係止機構１３８と、係止解除機構１３９と、第２の収納部１３６に記録メディア駆動装置１０が装着されたことを検出する検出機構１４０と、記録メディア駆動装置１０を排出方向に押圧する押圧機構１４２とを有する。検出機構１４０は、記録メディア駆動装置１０の内部に設けられたリムーバブル検出用スイッチ１９と、検出スイッチ１９を側方から押圧するスイッチ押圧部１６２とから構成されている。記録メディア駆動装置１０は、第２の収納部１３６に挿入されると、スイッチ押圧部１６２によって検出スイッチ１９がオンに押圧されて装着されたことを認識し、データと共に装着状態にあることを示す信号を外部機器に出力することが可能になる。【選択図】        図７
2004348289.tif 000002
【特許請求の範囲】
【請求項１】
移動可能な筐体と、
該筐体に形成され、記録メディア駆動装置が収納される収納部と、
該収納部に収納された前記記録メディア駆動装置に接続されるコネクタと、
前記筐体の外壁に設けられ、外部機器と接続される外部用コネクタと、
前記収納部に前記記録メディア駆動装置が挿入されたことを検出する検出手段と、
を備えたことを特徴とする記録メディア駆動装置の収容装置。
【請求項２】
前記検出手段は、
前記記録メディア駆動装置に設けられた検出スイッチと、
前記収納部に設けられ、前記検出スイッチを押圧する押圧部材と、
を備えたことを特徴とする請求項１記載の記録メディア駆動装置の収容装置。
【請求項３】
前記収納部に収納された前記記録メディア駆動装置を係止する係止機構を備えたことを特徴とする前記請求項１記載の記録メディア駆動装置の収容装置。
【請求項４】
前記係止機構は、前記記録メディア駆動装置を排出するためのイジェクト信号が入力されると、前記検出スイッチがオン状態にあり、且つ前記記録メディア駆動装置が停止状態であることを条件に係止解除を行うことを特徴とする請求項３記載の記録メディア駆動装置の収容装置。
【請求項５】
前記収納部は、前記係止機構による係止が解除された前記記録メディア駆動装置を排出方向に押圧する押圧機構を有することを特徴とする請求項１記載の記録メディア駆動装置の収容装置。
【発明の詳細な説明】
【０００１】
【発明の属する技術分野】
本発明は記録メディア駆動装置の収容装置に係り、特に記録メディア駆動装置を容易に増設することができるように構成された記録メディア駆動装置の収容装置に関する。
【０００２】
【従来の技術】
例えば、パーソナルコンピュータなどの電子機器に内蔵され、記録メディアを挿脱可能とする記録メディア駆動装置がある。
【０００３】
この種の記録メディア駆動装置では、各種データが記録された任意の記録メディアを交換可能な構成になっており、パーソナルコンピュータなどの電子機器に内蔵されるように取り付けられている。
【０００４】
また、記録メディア駆動装置を外部接続用として使用することも検討されている。このような記録メディア駆動装置をパーソナルコンピュータの外部接続機器として使用するものとしては、例えば、磁気ディスクカートリッジ（ＦＤ）が装着される磁気ディスク装置を接続するよう構成されたものがある（例えば、特許文献１参照）。
【０００５】
この記録メディア駆動装置の収容装置では、磁気ディスク装置をコネクタ及びケーブルを介してパーソナルコンピュータに接続されるか、あるいはケーブルを介してパーソナルコンピュータに接続されたアタッチメントに装着するようになっている。
【０００６】
【特許文献１】
特開平１１−１１００８１号公報
【０００７】
【発明が解決しようとする課題】
上記のような記録メディア駆動装置の収容装置においては、ハードディスクを有するカートリッジが装着可能とされた記録メディア駆動装置を内蔵していないコンピュータでも大容量のハードディスクからなる記録メディアが装着できるように必要に応じて記録メディア駆動装置を増設できることが要望されている。
【０００８】
また、上記のような記録メディア駆動装置の収容装置においては、比較的記憶容量の大きいハードディスクカートリッジを装着することが考えられており、記憶容量の小さい可撓性磁気ディスク（ＦＤ）を収納したカートリッジのように頻繁にディスク交換を行うと、データの読み出し中、あるいはデータの書き込み中にカートリッジを引き抜いてしまうことがあり、その場合、データが破壊されてしまうおそれがある。
【０００９】
そこで、本発明は上記課題を解決した記録メディア駆動装置の収容装置を提供することを目的とする。
【００１０】
【課題を解決するための手段】
本発明は上記課題を解決するため、以下のような特徴を有する。
【００１１】
上記請求項１記載の発明は、移動可能な筐体と、筐体に形成され、記録メディア駆動装置が収納される収納部と、収納部に収納された記録メディア駆動装置に接続されるコネクタと、筐体の外壁に設けられ、外部機器と接続される外部用コネクタと、収納部に記録メディア駆動装置が挿入されたことを検出する検出手段と、を備えたものであり、記録メディア駆動装置が収納部に装着されたことを確認することが可能になり、検出手段により記録メディア駆動装置が装着されたことが検出されている場合にデータの読み出し中、あるいはデータの書き込み中に記録メディア駆動装置が誤って排出されることを防止でき、記録メディア駆動装置の増設が容易且つ安定した状態で行える。
【００１２】
また、上記請求項２記載の発明は、検出手段が、記録メディア駆動装置に設けられた検出スイッチと、収納部に設けられ、検出スイッチを押圧する押圧部材と、を備えたものであり、記録メディア駆動装置が収納部に収納されたことを記録メディア駆動装置自身が認識することができ、検出された信号をデータと共に出力することが可能になる。
【００１３】
また、上記請求項３記載の発明は、収納部に収納された記録メディア駆動装置を係止する係止機構を備えたものであり、データの読み出し中、あるいは書き込み中に記録メディア駆動装置を収納部から排出することを防止する。
【００１４】
また、上記請求項４記載の発明は、係止機構が、記録メディア駆動装置を排出するためのイジェクト信号が入力されると、検出スイッチがオン状態にあり、且つ記録メディア駆動装置が停止状態であることを条件に係止解除を行うものであり、間違ってイジェクト操作された場合に記録メディア駆動装置を排出することを防止できる。
【００１５】
また、上記請求項５記載の発明は、係止機構による係止が解除された記録メディア駆動装置を排出方向に押圧する押圧機構を収納部に設けたものであり、記録メディア駆動装置を収納部から容易に取り出すことが可能になる。
【００１６】
【発明の実施の形態】
以下、図面と共に本発明の一実施例について説明する。
図１は本発明になる収容装置の一実施例に装着される記録メディア駆動装置を示す図であり、（Ａ）は正面図、（Ｂ）は平面図、（Ｃ）は背面図、（Ｄ）は左側面図、（Ｅ）は右側面図である。
【００１７】
図１（Ａ）〜（Ｅ）に示されるように、記録メディア駆動装置１０は、箱状のシャーシ１２の上部にカバー１４が取り付けられており、シャーシ１２の前面には前面パネル１６が取り付けられている。また、シャーシ１２の後部には、後部パネル１８が取り付けられている。
【００１８】
カバー１４は、シャーシ１２の上面を覆う天板１４ａと、シャーシ１２の左右側面１２ｃ，１２ｄ（図６参照）を覆う側板１４ｂ，１４ｃとを有する。また、側板１４ｂ，１４ｃには、シャーシ１２の突起１２ａを嵌合係止する係止用孔１４ｄが２箇所ずつ設けられ、且つ右側の側板１４ｃには、リムーバブル検出用スイッチ１９（図１中、破線で示す）の切片に対向する開口１４ｅが設けられている。
【００１９】
前面パネル１６は、後述する記録メディアが挿入される挿入口２０と、イジェクト釦２２と、エマージェンシー用孔２４とが設けられている。また、挿入口２０は、内側に回動可能に設けられた蓋部材２６により開閉される。
【００２０】
後部パネル１８は、外部コネクタ（図示せず）が接続される入出力用コネクタ２８と、電源用プラグ３０と、ＵＳＢ（Ｕｎｉｖｅｒｓａｌ  Ｓｅｒｉａｌ  Ｂｕｓ）用コネクタ３２と、ロック用孔３４とが設けられている。
【００２１】
ここで、本実施例に適用される記録メディアの形状について説明する。本実施例では、記憶容量の異なるハードディスクが内蔵された２種類の記録メディアを考えている。
【００２２】
図２は２．５インチディスクの記録メディアの一例を示す図であり、（Ａ）は平面図、（Ｂ）は正面図、（Ｃ）は側面図である。
図２（Ａ）〜（Ｃ）に示されるように、第１の記録メディア３６は、樹脂製カートリッジ３８の内部に記録媒体としての磁気ディスク（図示せず）が収納されている。カートリッジ３８は、挿入側端部３６ａにコネクタ４０が設けられ、左右側面に挿入・イジェクト方向（Ａ，Ｂ方向）に延在するガイド溝４２と、クランプ用凹部４４を有する。
【００２３】
図３は１．８インチディスクの記録メディアの一例を示す図であり、（Ａ）は平面図、（Ｂ）は正面図、（Ｃ）は側面図である。
図３（Ａ）〜（Ｃ）に示されるように、第２の記録メディア４６は、樹脂製カートリッジ４８の内部に記録媒体としての磁気ディスク（図示せず）が収納されている。カートリッジ４８は、挿入側端部４６ａにコネクタ５０が設けられ、左右側面に挿入・イジェクト方向（Ａ，Ｂ方向）に延在するガイド溝５２と、クランプ用凹部５４を有する。
【００２４】
上記第１、２の記録メディア３６，４６は、挿入側端部３６ａ，４６ａに設けられたコネクタ４０，５０が共通であり、且つガイド溝４２，５２の高さ位置やクランプ用凹部４４，５４の形状及び位置も共通である。また、カートリッジ３６，４８は、横幅寸法が同一寸法であるが、奥行き寸法が異なっており、カートリッジ３６の奥行き寸法が大に形成されている。
【００２５】
図４はカバー１４を外した状態を示す平面図である。図５（Ａ）は前面パネル１６を内側からみた背面図、（Ｂ）は蓋部材２６の開閉動作を示す側面図である。図６は前面パネル１６を外したシャーシ１２の内部構造を示す縦断面図である。
図４及び図５（Ａ）（Ｂ）に示されるように、前面パネル１６の内側には、挿入口２０を開閉する蓋部材２６が回動自在に支持されている。蓋部材２６は、挿入口２０に対向するフラップ２６ａと、フラップ２６ａの上部両端より左右方向に突出する軸２６ｂ，２６ｃとを有する。そして、前面パネル１６の裏面には、軸２６ｂ，２６ｃを軸承する軸受け部１６ａ，１６ｂが設けられている。
【００２６】
軸２６ｂには、トーションバネ２７が巻装されており、トーションバネ２７のバネ力によりフラップ２６ａが閉方向に付勢されている。従って、記録メディア３６，４６は、挿入口２０に挿入されることにより、挿入側端部３６ａ，４６ａがフラップ２６ａを挿入方向（Ａ方向）に押圧してフラップ２６ａを開方向に回動させる。
【００２７】
その際、蓋部材２６は、トーションバネ２７のバネ力に抗して開方向に回動して記録メディア３６，４６の挿入経路から退避しており、挿入動作を妨げないように構成されている。そして、奥行き寸法の短い記録メディア４６も後部が通過すると共に、閉方向に回動して挿入口２０を閉塞して埃などが内部に進入することを防止する。また、奥行き寸法の長い記録メディア３６の場合には、排出側端部３６ｂが挿入口２０を閉塞した状態で装着完了になるため、蓋部材２６は、記録メディア３６の上面に当接する開位置に退避している。
【００２８】
図４に示されるように、シャーシ１２の底面１２ｂには、記録メディア３６，４６が挿入されるホルダ５６と、ホルダ５６の移動方向をガイドする一対のガイド部材５８，５９と、ホルダ５６を駆動するホルダ駆動機構６０と、蓋部材２６を開閉させる開閉機構６２と、記録メディア３６，４６のコネクタ４０，５０が接続されるメディア用コネクタ６４が搭載された基板６６とが設けられている。
【００２９】
また、基板６６には、上記メディア用コネクタ６４の他にリムーバブル検出用スイッチ１９、入出力用コネクタ２８、電源用プラグ３０、ＵＳＢ用コネクタ３２、ホルダ検出スイッチ６８、装着検出スイッチ７０、制御回路７２が搭載されている。尚、制御回路７２は、マイクロコンピュータによって構成しても良いし、あるいはアナログ回路によって構成しても良い。
【００３０】
ここで、ホルダ５６の構成について説明する。
図４及び図６に示されるように、ホルダ５６は、シャーシ１２の底面１２ｂ上に起立するガイド部材５８，５９により前面パネル１６の挿入口２０に対向する高さ位置で移動可能に支持されており、挿入口２０を通過した記録メディア３６または４６が挿入される。
【００３１】
ホルダ５６は、板金をコ字状に曲げ加工された２つの摺動部材７４，７５が一体的に結合されたものであり、外側に設けられた第１の摺動部材７４はガイド部材５８，５９の上端に横架されるように形成された天板７４ａと、ガイド部材５８，５９の外側面に摺動可能に対向する側板７４ｂ，７４ｃとを有する。
【００３２】
また、シャーシ１２の底面１２ｂより起立したブラケット１２ｅには、イジェクト釦２２に対向する高さ位置にイジェクトスイッチ７３が設けられている。このイジェクトスイッチ７３は、イジェクト釦２２が押圧操作された場合にオンに切り替わり、イジェクト信号を出力する。
【００３３】
ホルダ５６の天板７４ａには、記録メディア３６，４６を左右両側から挟持するクランプ機構７６，７７と、メディア挿入検出スイッチ７８とが設けられている。また、カバー１４の天板１４ａの下面には、エマージェンシー用工具の挿入をガイドするガイドレール７９が取り付けられている。
【００３４】
摺動部材７４の内側に取り付けられた第２の摺動部材７５は、天板５８ａの下面に密着する天板７５ａと、ガイド部材５８，５９の内側で下方に曲げられた側板７５ｂ，７５ｃとを有する。側板７５ｂ，７５ｃの内壁には、記録メディア３６，４６のガイド溝４２，５２に嵌合するガイド部７５ｄ，７５ｅと、記録メディア３６，４６の挿入側端部３６ａ，４６ａが当接する当接部７５ｆ，７５ｇが突出している。
【００３５】
また、ガイド部材５８，５９のガイド壁５８ａ，５９ａは、側板７４ｂ，７４ｃと側板７５ｂ，７５ｃとの間に形成された隙間に挿通されることでホルダ５６のＡ，Ｂ方向の摺動動作をガイドする。
【００３６】
クランプ機構７６，７７は、ホルダ５６に挿入される記録メディア３６，４６の挿入動作により記録メディア３６，４６の両側を押圧して挟持するように構成されており、天板７４ａに摺動可能に取り付けられたスライド部材（係合部材に相当する）８０，８１と、スライド部材８０，８１を外側（左右側方）へ付勢するトーションバネ８２，８３とから構成されている。
【００３７】
また、スライド部材８０，８１は、係合部８０ｈ，８１ｈがガイド部材５８，５９のガイド壁５８ａ，５９ａの内側に変位してクランプ用凹部４４，５４に嵌合することでガイド壁５８ａ，５９ａによる挿入方向への規制が解除されてＡ方向への摺動が可能になる。
【００３８】
ここで、上記のように構成された記録メディア駆動装置１０が装着される収容装置１３０の構成について説明する。
図７は本発明になる記録メディア駆動装置の収容装置の一実施例を示す正面図である。図８は収容装置の背面図である。図９は収容装置の平面図である。
【００３９】
図７乃至図９に示されるように、収容装置１３０は、外部機器としてのパーソナルコンピュータの筐体に組み込まれるか、あるいはケーブルを介して接続されるように取り付けられる。そして、収容装置１３０は、筐体１３２の内部に第１の収納部１３４と第２の収納部１３６とが２段に設けられている。
【００４０】
下段の第１の収納部１３４は、記録メディア駆動装置１０が固定されており、上段の第２の収納部１３６は、増設用の記録メディア駆動装置１０が着脱可能に装着されるように構成されている。第１の収納部１３４に収納された記録メディア駆動装置１０は、筐体１３２に固定されている。そして、筐体１３２の前面１３２ａには、第１，第２の収納部１３４，１３６に収納された記録メディア駆動装置１０の前面パネル１６が露出するように取り付けられる。
【００４１】
筐体１３２の内部には、第２の収納部１３６の挿入された記録メディア駆動装置１０を係止する係止機構１３８と、イジェクト操作により係止機構１３８による係止を解除させる係止解除機構１３９と、第２の収納部１３６に記録メディア駆動装置１０が装着されたことを検出する検出機構１４０と、第２の収納部１３６の挿入された記録メディア駆動装置１０を排出方向（Ｂ方向）に押圧する押圧機構１４２と、記録メディア駆動装置１０の入出力用コネクタ２８に接続されるコネクタ１４４が搭載された基板１４６とを有する。
【００４２】
また、基板１４６には、パーソナルコンピュータなどの外部機器に接続される外部用コネクタ１４８と、電源用コネクタ１５０とが設けられている。さらに、基板１４６には、コネクタ１４４と外部用コネクタ１４８及び電源用コネクタ１５０との間を接続する配線パターン（図示せず）が形成されている。
【００４３】
尚、筐体１３２の背面１３２ｂには、外部用コネクタ１４８及び電源用コネクタ１５０が露出している。
【００４４】
図１０は係止機構１３８、係止解除機構１３９、検出機構１４０、押圧機構１４２を拡大して示す平面図である。図１１は係止機構１３８、係止解除機構１３９、押圧機構１４２を拡大して示す背面図である。
【００４５】
図１０及び図１１に示されるように、係止機構１３８は、記録メディア駆動装置１０を係止する係止レバー１５２と、係止レバー１５２を回動可能に支持する軸１５４と、係止レバー１５２を係止方向（収容装置１３０の上方から見て時計方向）に付勢するトーションバネ１５６とから構成されている。
【００４６】
係止レバー１５２は、一端に記録メディア駆動装置１０の挿入側端部に設けられたロック用孔３４に係合する鉤型の爪部１５２ａを有し、他端に係止解除時に押圧されるように半円形状に突出するカム面１５２ｂを有する。
【００４７】
このように、係止機構１３８は、係止レバー１５２をトーションバネ１５６のバネ力で係止方向に付勢しているため、記録メディア駆動装置１０が第２の収納部１３６に挿入されると、記録メディア駆動装置１０の背面パネル１８が係止レバー１５２の爪部１５２ａによって係止される。これにより、記録メディア駆動装置１０は、第２の収納部１３６に装着された状態で係止される。よって、記録メディア駆動装置１０は、簡単な挿入操作によって増設することが可能になる。
【００４８】
係止解除機構１３９は、制御部１５７により駆動されるモータ１５８と、モータ１５８に回転駆動されるカム１６０とから構成されている。カム１６０は、モータ１５８の回転軸１５８ａに嵌合される円盤状の回転体１６０ａと、回転体１６０ａより突出して係止レバー１５２のカム面１５２ｂを押圧するカムピン１６０ｂとを有する。
【００４９】
そのため、第２の収納部１３６に装着された記録メディア駆動装置１０をイジェクトする際は、上段（着脱可能な第２の収納部１３６）に取り付けられた記録メディア駆動装置１０の前面に設けられたイジェクトスイッチ１６１（図７参照）を押圧することにより、モータ１５８が回転駆動され、カム１６０が回転してカムピン１６０ｂが係止レバー１５２のカム面１５２ｂを押圧することによって係止レバー１５２を係止解除方向に回動させる。これにより、記録メディア駆動装置１０は、押圧機構１４２の押圧力により、排出方向に押し出される。
【００５０】
尚、上記イジェクトスイッチ１６１は、データ書き込み中あるいはデータ読み取り中にご操作されることを防止するため、細いスリット状の開口１６３の奥に設けられている。
【００５１】
検出機構１４０は、記録メディア駆動装置１０の内部に設けられたリムーバブル検出用スイッチ１９と、検出スイッチ１９を側方から押圧するスイッチ押圧部１６２とから構成されている。記録メディア駆動装置１０は、第２の収納部１３６に挿入されてコネクタ１４４に記録メディア駆動装置１０の入出力用コネクタ２８が接続されると、スイッチ押圧部１６２によって検出スイッチ１９がオンに押圧されてデータと共に装着状態にあることを示す信号を外部機器に出力することが可能になる。
【００５２】
よって、記録メディア駆動装置１０が第２の収納部１３６に収納されたことを記録メディア駆動装置自身が認識することができ、検出された信号をデータと共に出力することが可能になる。そのため、外部機器としてのコンピュータは、記録メディア駆動装置１０が装着されたことを認識してデータの書き込み、あるいは読み取りを行える。
【００５３】
尚、スイッチ押圧部１６２としては、例えば、板バネなどの弾性部材を利用して機械的に押圧する構成としても良いし、あるいは電磁力で作動するソレノイドを用いて電磁的に押圧する構成としても良い。
【００５４】
また、上記制御部１５７は、検出スイッチ１９がオフの場合、あるいは記録メディア駆動装置１０がデータ書き込み中あるいはデータ読み取り中であるときは、イジェクトスイッチ１６１が押圧操作されてもモータ１５８を駆動せず、検出スイッチ１９がオンであり、且つ記録メディア駆動装置１０が停止状態であるときだけモータ１３８を回転駆動させて係止レバー１３２を係止解除方向に回動させる。
【００５５】
従って、制御部１５７によって、データの読み出し中、あるいはデータの書き込み中に記録メディア駆動装置１０が誤って排出されることを防止されるため、記録メディア駆動装置１０の増設が容易且つ安定した状態で行える。
【００５６】
押圧機構１４２は、Ａ，Ｂ方向に延在するように取り付けられた一対のボルト１６４と、ボルト１６４の軸方向に摺動可能に嵌合された円筒状の摺動部材１６６と、摺動部材１６６を排出方向（Ｂ方向）に付勢するコイルバネ１６８とを有する。摺動部材１６６は、ボルト１６４の頭部（図示せず）に当接するまでＢ方向に摺動する。
【００５７】
そして、一対の摺動部材１６６は、第２の収納部１３６に挿入された記録メディア駆動装置１０の端部に当接し、記録メディア駆動装置１０の挿入操作によりＡ方向に摺動してコイルバネ１６８を圧縮する。そのため、記録メディア駆動装置１０が装着された状態では、コイルバネ１６８が圧縮状態に保持される。コイルバネ１６８のバネ定数は、コネクタ１４４から記録メディア駆動装置１０の入出力用コネクタ２８を分離させるのに必要な押圧力を発生させるように設定されている。
【００５８】
ここで、上記のように構成された収容装置１３０のイジェクト動作時に上記制御部１５７が実行する処理手順について図１２のフローチャートを参照して説明する。尚、制御部１５７は、予め設定された時間毎に図１２に示す処理を実行する。
【００５９】
図１２に示されるように、制御部１５７は、Ｓ１１でイジェクトスイッチ１６１が押圧操作されてオンになると、Ｓ１２に進み、検出スイッチ１９がオンかどうかをチェックする。
【００６０】
検出スイッチ１９は、第２の収納部１３６に記録メディア駆動装置１０が挿入されると、スイッチ押圧部１６２によって押圧されてオンになるため、Ｓ１２において、検出スイッチ１９がオンであるときは、記録メディア駆動装置１０が装着されているものと判断してＳ１３に進む。
【００６１】
Ｓ１３において、記録メディア駆動装置１０がデータ書き込み中あるいはデータ読み取り中でなく、停止状態であることを確認する。Ｓ１３で、記録メディア駆動装置１０が停止状態であるときは、Ｓ１４に進み、係止解除機構１３９のモータ１５８を回転駆動させて係止機構１３８の係止レバー１５２を係止解除方向に回動させて記録メディア駆動装置１０を押圧機構１４２の押圧動作によって排出方向（Ｂ方向）へ押し出させる。これにより、記録メディア駆動装置１０の入出力用コネクタ２８は、押圧機構１４２のコイルバネ１６８のバネ力によりコネクタ１４４から分離される。これと同時に、スイッチ押圧部１６２による検出スイッチ１９に対する押圧も解除されて検出スイッチ１９がオフに切り替わる。
【００６２】
従って、Ｓ１５において、検出スイッチ１９がオフになると、Ｓ１６に進み、係止解除機構１３９のモータ１５８の回転駆動を停止させる。
【００６３】
また、上記Ｓ１１において、イジェクトスイッチ１６１がオフの場合、あるいは上記Ｓ１２において、検出スイッチ１９がオフの場合、あるいは上記Ｓ１３において、記録メディア駆動装置１０がデータ書き込み中あるいはデータ読み取り中である場合には、上記Ｓ１４〜Ｓ１６の掛止解除動作を行わない。そのため、記録メディア駆動装置１０がデータ書き込み中あるいはデータ読み取り中である場合には、誤ってイジェクトされることが防止される。
【００６４】
ここで、上記のように構成された収容装置１３０のイジェクト動作について説明する。
【００６５】
図１３は係止解除開始時の動作状態を示す平面図である。図１４は係止解除開始時の係止機構１３８、係止解除機構１３９、検出機構１４０、押圧機構１４２を拡大して示す平面図である。図１５は係止解除開始時の係止機構１３８、係止解除機構１３９、押圧機構１４２を拡大して示す背面図である。
【００６６】
図１３乃至図１５に示されるように、イジェクト操作により係止解除機構１３９のモータ１５８を回転駆動させると、カム１６０が収容装置１３０の左側方から見て反時計方向に回転してカムピン１６０ｂが係止レバー１５２のカム面１５２ｂを下方（図１５に示すＥ方向）に押圧する。カム面１５２ｂは、図１５に示されるように、円弧状に湾曲している。そのため、カムピン１６０ｂは、モータ１５８を回転駆動力によりカム面１５２ｂを下方（図１５に示すＥ方向）に押圧することで係止レバー１５２を係止解除方向（図１３中、収容装置１３０の上方から見て反時計方向）に回動させる。これにより、係止レバー１５２の爪部１５２ａが記録メディア駆動装置１０の背面パネル１８に設けられたロック用孔３４に対する係止を解除する。
【００６７】
これで、第２の収納部１３６に装着された記録メディア駆動装置１０は、係止レバー１５２による係止が解除されてフリーな状態となる。
【００６８】
図１６は係止解除された記録メディア駆動装置１０が押し出された状態を示す平面図である。図１７は係止解除された記録メディア駆動装置１０が押し出された状態を示す側面図である。図１８は係止解除後の係止機構１３８、係止解除機構１３９、検出機構１４０、押圧機構１４２を拡大して示す平面図である。図１９は係止解除後の係止機構１３８、係止解除機構１３９、押圧機構１４２を拡大して示す背面図である。
【００６９】
図１７乃至図１９に示されるように、記録メディア駆動装置１０は、押圧機構１４２のコイルバネ１６８が摺動部材１６６をＢ方向に押圧しているため、係止レバー１５２による係止が解除されると共に、それまで圧縮されていたコイルバネ１６８のバネ力により、排出方向に押し出される。
【００７０】
これにより、記録メディア駆動装置１０の入出力用コネクタ２８は、押圧機構１４２のコイルバネ１６８のバネ力によりコネクタ１４４から分離される。これと同時に、スイッチ押圧部１６２による検出スイッチ１９に対する押圧も解除されて検出スイッチ１９がオフに切り替わる。
【００７１】
そのため、記録メディア駆動装置１０は、摺動部材１６６が摺動可能距離だけＢ方向に排出され、前面パネル１６が筐体１３２の前面１３２ａよりも所定距離Ｌだけ突出した位置で停止する。これにより、操作者は、収容装置１３０の前端を把持することが可能になる。
【００７２】
図２０は第２の収納部１１６から記録メディア駆動装置１０を引き抜いた状態を示す平面図である。図２１は第２の収納部１６から記録メディア駆動装置１０を引き抜いた状態を示す正面図である。
【００７３】
図２０及び図２１に示されるように、第２の収納部１３６から記録メディア駆動装置１０が引き抜かれると、第２の収納部１３６は空の状態になり、別の記録メディア駆動装置１０と交換することが可能になる。また、第１の収納部１３４には記録メディア駆動装置１０が固定されているので、１台の記録メディア駆動装置１０で足りる場合には、第２の収納部１３６を空の状態で使用することができ、２台の記録メディア駆動装置１０を使用したときには、第２の収納部１３６に記録メディア駆動装置１０を挿入すれば良い。
【００７４】
このように、収容装置１３０は、操作者の使用方法に応じて記録メディア駆動装置１０を選択的に増設することが可能になり、あるいは操作者が所有している記録メディア駆動装置１０を他の場所あるいは他人が所有するパーソナルコンピュータ（図示せず）に接続して使用する場合でも簡単な操作で記録メディア駆動装置１０を使用することが可能になる。
【００７５】
尚、上記実施の形態では、第１の収納部１３４と第２の収納部１３６とを有する収容装置１３０を一例として挙げたが、これに限らず、第２の収納部１３６のみが設けられた構成としても良いし、あるいは、第２の収納部１３６を２段あるいは３段に重ねた構成としても良いのは勿論である。
【００７６】
また、上記実施の形態では、記録メディア３６，４６が装着される記録メディア駆動装置を一例として挙げたが、これに限らず、上記以外の形状とされた記録媒体が装着される装置にも本発明を適用できるのは勿論である。
【００７７】
【発明の効果】
上述の如く、請求項１記載の発明によれば、移動可能な筐体と、筐体に形成され、記録メディア駆動装置が収納される収納部と、収納部に収納された記録メディア駆動装置に接続されるコネクタと、筐体の外壁に設けられ、外部機器と接続される外部用コネクタと、収納部に記録メディア駆動装置が挿入されたことを検出する検出手段と、を備えたため、記録メディア駆動装置が収納部に装着されたことを確認することが可能になり、検出手段により記録メディア駆動装置が装着されたことが検出されている場合にデータの読み出し中、あるいはデータの書き込み中に記録メディア駆動装置が誤って排出されることを防止でき、記録メディア駆動装置の増設が容易且つ安定した状態で行うことができる。
【００７８】
また、上記請求項２記載の発明によれば、検出手段が、記録メディア駆動装置に設けられた検出スイッチと、収納部に設けられ、検出スイッチを押圧する押圧部材と、を備えたため、記録メディア駆動装置が収納部に収納されたことを記録メディア駆動装置自身が認識することができ、検出された信号をデータと共に出力することができる。
【００７９】
また、上記請求項３記載の発明によれば、収納部に収納された記録メディア駆動装置を係止する係止機構を備えたため、データの読み出し中、あるいは書き込み中に記録メディア駆動装置を収納部から排出することを防止できる。
【００８０】
また、上記請求項４記載の発明によれば、係止機構が、記録メディア駆動装置を排出するためのイジェクト信号が入力されると、検出スイッチがオン状態にあり、且つ記録メディア駆動装置が停止状態であることを条件に係止解除を行うため、間違ってイジェクト操作された場合に記録メディア駆動装置を排出することを防止できる。
【００８１】
また、上記請求項５記載の発明によれば、係止機構による係止が解除された記録メディア駆動装置を排出方向に押圧する押圧機構を収納部に設けたため、記録メディア駆動装置を収納部から容易に取り出すことができる。
【図面の簡単な説明】
【図１】本発明になる収容装置の一実施例に装着される記録メディア駆動装置を示す図であり、（Ａ）は正面図、（Ｂ）は平面図、（Ｃ）は背面図、（Ｄ）は左側面図、（Ｅ）は右側面図である。
【図２】２．５インチディスクの記録メディアの一例を示す図であり、（Ａ）は平面図、（Ｂ）は正面図、（Ｃ）は側面図である。
【図３】１．８インチディスクの記録メディアの一例を示す図であり、（Ａ）は平面図、（Ｂ）は正面図、（Ｃ）は側面図である。
【図４】カバー１４を外した状態を示す平面図である。
【図５】（Ａ）は前面パネル１６を内側からみた背面図、（Ｂ）は蓋部材２６の開閉動作を示す側面図である。
【図６】前面パネル１６を外したシャーシ１２の内部構造を示す縦断面図である。
【図７】本発明になる記録メディア駆動装置の収容装置の一実施例を示す正面図である。
【図８】収容装置の背面図である。
【図９】収容装置の平面図である。
【図１０】係止機構１３８、係止解除機構１３９、検出機構１４０、押圧機構１４２を拡大して示す平面図である。
【図１１】係止機構１３８、係止解除機構１３９、押圧機構１４２を拡大して示す背面図である。
【図１２】収容装置１３０のイジェクト動作時に上記制御部１５７が実行する処理手順を説明するためのフローチャートである。
【図１３】係止解除開始時の動作状態を示す平面図である。
【図１４】係止解除開始時の係止機構１３８、係止解除機構１３９、検出機構１４０、押圧機構１４２を拡大して示す平面図である。
【図１５】係止解除開始時の係止機構１３８、係止解除機構１３９、押圧機構１４２を拡大して示す背面図である。
【図１６】係止解除された記録メディア駆動装置１０が押し出された状態を示す平面図である。
【図１７】係止解除された記録メディア駆動装置１０が押し出された状態を示す側面図である。
【図１８】係止解除後の係止機構１３８、係止解除機構１３９、検出機構１４０、押圧機構２２を拡大して示す平面図である。
【図１９】係止解除後の係止機構１３８、係止解除機構１３９、押圧機構１４２を拡大して示す背面図である。
【図２０】第２の収納部１３６から記録メディア駆動装置１０を引き抜いた状態を示す平面図である。
【図２１】第２の収納部１３６から記録メディア駆動装置１０を引き抜いた状態を示す正面図である。
【符号の説明】
１０  記録メディア駆動装置
１２  シャーシ
１４  カバー
１６  前面パネル
１８  後部パネル
２０  挿入口
２２  イジェクト釦
２６  蓋部材
３４  ロック用孔
３６  第１の記録メディア
４６  第２の記録メディア
３８，４８  カートリッジ
５６  ホルダ
６０  ホルダ駆動機構
６２  開閉機構
６４  メディア用コネクタ
６８  ホルダ検出スイッチ
７０  装着検出スイッチ
７２  制御回路
７６，７７  クランプ機構
７８  メディア挿入検出スイッチ
８０，８１  スライド部材
１３０  収容装置
１３２  筐体
１３４  第１の収納部
１３６  第２の収納部
１３８  係止機構
１３９  係止解除機構
１４０  検出機構
１４２  押圧機構
１４４  コネクタ
１４６  基板
１５２  係止レバー
１５６  トーションバネ
１５７  制御部
１５８  モータ
１６０  カム
１６１  イジェクトスイッチ
１６２  スイッチ押圧部
１６６  摺動部材
１６８  コイルバネ
【図１】
2004348289.tif 000003
【図２】
2004348289.tif 000004
【図３】
2004348289.tif 000005
【図４】
2004348289.tif 000006
【図５】
2004348289.tif 000007
【図６】
2004348289.tif 000008
【図７】
2004348289.tif 000009
【図８】
2004348289.tif 000010
【図９】
2004348289.tif 000011
【図１０】
2004348289.tif 000012
【図１１】
2004348289.tif 000013
【図１２】
2004348289.tif 000014
【図１３】
2004348289.tif 000015
【図１４】
2004348289.tif 000016
【図１５】
2004348289.tif 000017
【図１６】
2004348289.tif 000018
【図１７】
2004348289.tif 000019
【図１８】
2004348289.tif 000020
【図１９】
2004348289.tif 000021
【図２０】
2004348289.tif 000022
【図２１】
2004348289.tif 000023